(57)【要約】【課題】  従来のビデオカメラでは、シーンを複数チャプタに分割する際、チャプタの先頭フレームをサムネイルとして設定し、各チャプタの区別に利用することが多い。しかし、先頭フレームが必ずしもシーンの内容を良く表すとは限らない。そのため、チャプタの先頭フレームの情報のみを使って、ユーザが複数チャプタに分割されたシーンから、目的とするチャプタを見つけることは困難である。【解決手段】  前記課題を解決するために、本発明に係る記録再生装置は、動画映像情報を記録する動画記録手段と、前記動画映像情報にチャプタを設定するチャプタ設定手段と、前記チャプタのサムネイルとして使用するための静止画映像情報を記録する静止画記録手段と、前記静止画映像情報を前記動画映像情報のサムネイルとして関連付ける手段を有する。【選択図】  図９
2009267457.tif 000002
【特許請求の範囲】
【請求項１】
撮像素子を有する映像情報入力手段と、
前記映像情報入力手段から入力された映像情報を記録媒体に記録する記録手段と、
前記記録媒体に記録した映像情報を再生する再生手段と、
映像情報を表示する表示部と、
前記映像情報入力手段から入力された動画映像情報を前記記録手段が前記記録媒体に記録するよう制御する動画記録制御手段と、
前記映像情報入力手段から入力された静止画映像情報を前記記録手段が前記記録媒体に記録するよう制御する静止画記録制御手段と、
前記記録媒体に記録した動画映像情報にチャプタを作成して設定するチャプタ作成手段と、
前記チャプタに対応するサムネイルを、前記静止画記録制御手段を用いて記録し、設定するサムネイル設定手段と、
を有することを特徴とする記録再生装置。
【請求項２】
請求項１に記載の記録再生装置において、
設定したチャプタに重要度を設定する重要度設定手段と、
設定した前記重要度を用いてチャプタの頭出し処理を変更する頭出し処理制御手段と、
を有することを特徴とする記録再生装置。
【請求項３】
請求項１または請求項２に記載の記録再生装置において、
音声入力手段と、
前記音声入力手段から入力された音声情報を記録する音声記録手段と、
設定したチャプタに任意の音声を関連付ける音声設定手段と、
ユーザがボタン操作でチャプタの頭出しを実行した場合のみ、チャプタ再生と同時に前記音声を再生する再生制御手段と、
を有することを特徴とする記録再生装置。
【請求項４】
請求項１から請求項３のいずれかに記載の記録再生装置において、
チャプタのサムネイルとして記録した静止画から文字情報を読み取る読取手段と、
読み取った前記文字情報を、前記チャプタの付加情報として設定する付加情報設定手段と、
前記付加情報を使用して、チャプタの検索を行う検索手段と、
を有することを特徴とする記録再生装置。
【請求項５】
請求項１から請求項４のいずれかに記載の記録再生装置において、
チャプタに対応する複数のサムネイルをスライドショー表示する表示手段を有することを特徴とする記録再生装置。
【請求項６】
請求項１から請求項５のいずれかに記載の記録再生装置において、
チャプタに設定したサムネイルを、設定前の状態に復元する復元手段を有することを特徴とする記録再生装置。
【請求項７】
請求項１から請求項６のいずれかに記載の記録再生装置において、
シーンに設定されているチャプタのサムネイル一覧画面を表示する表示手段を有することを特徴とする記録再生装置。
【請求項８】
被写体を撮像して映像情報を出力する撮像手段と、
前記映像情報を記録媒体に記録する記録手段と、
前記記録媒体に記録されている第１の映像情報のサムネイルとして第２の映像情報を撮像するサムネイル撮像モードに移行する指示を受け付ける操作手段と、
前記操作手段により前記サムネイル撮像モードに移行した場合、前記サムネイル撮像モードにおいて前記撮像手段により撮像された前記第２の映像情報を、前記第１の映像情報のサムネイルとして前記記録媒体に記録するよう前記記録手段を制御する制御手段と、
を備える記録再生装置。
【発明の詳細な説明】
【技術分野】
【０００１】
本発明は、記録再生装置に関し、例えば、記録した動画映像情報に情報を付加し、ユーザが所望の動画映像情報に容易にアクセスすることを補助する記録再生装置に関する。
【背景技術】
【０００２】
本技術分野の背景技術として、例えば、特開２００６−３４５５５４号公報（特許文献１）がある。該公報には、「［課題］記録媒体に記録された映像および音声に重要度が与えられ、当該重要度に応じて映像および音声を再生することが可能な再生装置を得る。［解決手段］この発明は、プログラムに含まれる映像信号及び音声信号が複数のセグメントに分割して記録されるとともに、各セグメントの音声信号の特徴から重要度レベルが与えられ、重要度レベルを当該セグメントに対応付けられたメタデータに記録される記録媒体の映像及び音声を再生する再生装置であって、記録媒体に記録されたメタデータから重要度レベルを抽出する抽出手段と、重要度レベルとしきい値とを比較する比較手段と、比較手段における比較結果に基づいて、重要度レベルがしきい値よりも高いセグメントを検索する検索手段と、検索手段により検索されたセグメントに対応する映像および音声を再生する再生手段とを備え、重要度レベルは、音声信号の音量に基づいて重み付けされる。」（要約参照）と記載されている。
【０００３】
【特許文献１】特開２００６−３４５５５４号公報
【発明の開示】
【発明が解決しようとする課題】
【０００４】
近年、DVDなどの光ディスクに静止画や動画を記録する記録再生装置が利用されている。このような記録再生装置では、記録した動画映像情報の頭出しを容易に行うことができる。この種の記録再生装置のうち、ビデオカメラでは、通常、動画映像情報をシーン単位で管理するため、シーンの頭出しを容易に実行することができる。また、１つのシーンに対して複数のチャプタを設定することで、同一シーン内での頭出しも容易に実行できる。
【０００５】
記録したシーンの内容をユーザが確認する場合、チャプタを利用して頭出しをしながら再生すると、素早くシーンの内容を把握することができる。しかし、シーン内にチャプタの数が多いと、頭出しの回数が増加するため、ユーザに負担がかかることがある。
【０００６】
特開２００６−３４５５５４号公報（特許文献１）では、シーンを複数のセグメントに分割し、セグメントごとに重要度を設定することで、効率良く動画映像情報を再生する技術を開示している。
【０００７】
従来、チャプタのサムネイル設定手法では、チャプタの先頭フレームをチャプタのサムネイルとすることが多い。しかし、前記先頭フレームをチャプタのサムネイルとすると、既にシーンの内容を把握しているユーザには、シーン内のチャプタ先頭位置が把握できて便利な場合があるが、年数が経過してシーン内容の記憶が薄れると、チャプタの先頭フレームを見ても、実際にチャプタを再生するまでシーンの内容が思い出せない場合がある。そのため、ユーザが目的とする動画映像情報を素早く探し出すのが困難になることがあるのが現状である。チャプタの内容に最適なサムネイルが設定されていれば、ユーザはサムネイル一覧を見るだけで、シーンを再生することなく、シーンの内容を知ることができるが、そのような方法は提案されていない。
【０００８】
また、通常、前記サムネイル一覧を見てもシーンの内容がわからない場合、ユーザはシーンを再生してシーンの内容を確認する。長時間のシーンの内容を確認する場合は、チャプタの頭出しを行いながら素早くシーン全体の内容を確認する手段が必要となるが、現在は効率良くチャプタの頭出し操作をする方法は提案されていない。
【０００９】
特開２００６−３４５５５４号公報に開示された技術では、セグメントごとに重要度を設け、重要度の閾値よりも重要度の高いフレームのみを再生するよう装置を制御しているが、ユーザの意思を再生内容に反映しにくく、また、素早くシーンの内容を把握するのには向かない。
【課題を解決するための手段】
【００１０】
そこで、例えば、前記課題を解決するために、本発明に係る記録再生装置は、動画映像情報を記録する動画記録手段と、前記動画映像情報にチャプタを設定するチャプタ設定手段と、前記チャプタのサムネイルとして使用するための静止画映像情報を記録する静止画記録手段と、前記静止画映像情報を前記チャプタのサムネイルとして関連付ける関連付け手段と、チャプタごとに重要度を設定する重要度設定手段を有する。
【発明の効果】
【００１１】
本発明によれば、例えば、記録したシーンの任意箇所にチャプタを設定でき、前記チャプタの内容を最も良く表すサムネイルをユーザが手軽に作成することができる。これにより、ユーザはシーンの内容をチャプタのサムネイル一覧から容易に推測したり、思い出したりすることができる。
【００１２】
また、例えば、チャプタごとに重要度を設定することで、ユーザは重要なチャプタのみの頭出しを行うことができる。これにより、ユーザは素早くシーンの再生ができ、シーンの内容把握を短時間で行うことができる。
【００１３】
上記以外の課題・手段・効果は、後述する実施例によって明らかにされる。
【発明を実施するための最良の形態】
【００１４】
以下、本発明の実施例を、記録媒体としてＤＶＤとＳＤカードを備えたビデオカメラを例に、図面を用いて詳細に説明する。ＤＶＤには、１つ以上のシーンから成る動画映像情報が記録されるものとする。また、実施例のビデオカメラは、動画映像情報を記録する動画モードと、静止画映像情報を記録する静止画モードを有しており、動映像情報画とサムネイル画像はＤＶＤに、静止画映像情報はＳＤカードに記録されるものとする。
【００１５】
図１は、本実施例を実行するためのブロック図である。なお、ＤＶＤではなく、半導体メモリや他のディスク媒体を使用してもよい。ＤＶＤにはＤＶＤ−Ｒ、ＤＶＤ−ＲＷ、ＤＶＤ−ＲＡＭ、ＤＶＤ＋Ｒ、ＤＶＤ＋ＲＷのように複数あるがその種類は、特に限定しない。もちろん、ＢＤ（Blu-ray Disc）やＨＤ（High Definition）−ＤＶＤでも構わない。他にも、ＣＤ（Compact Disc）、ＭＤ（Mini Disc）など、他の記録媒体に適用可能である。本実施例では、ＤＶＤ−ＲＡＭを想定する。
【００１６】
システム制御部１０１は、ＣＰＵ（Central Processing Unit）やメモリを持ち、システム全体を制御する。また、ユーザからの入力情報はユーザインタフェース１０２から得られ、入力情報はシステム制御部１０１にて処理される。１０３のレンズを通して得られた光を１０４のＣＣＤ（Charge Coupled Diode）が電気信号に変換する。１０５はＡ／Ｄ変換器であり、ＣＣＤ１０４から得られたアナログ電気信号をデジタル信号に変換し、１０６のＣＯＤＥＣ（COmpressor／DECompressor）へ信号を渡す。ＣＯＤＥＣ１０６で符号化され、生成された映像情報は、１０７のＲＡＭ（Random Access Memory）に蓄積される。ドライブ制御部１０８とカード制御部１１０は、それぞれＤＶＤ１０９とＳＤカード１１１へのアクセスを制御する部分である。ＲＡＭ１０７に蓄積された映像情報は、ドライブ制御部１０８やカード制御部１１０を通してＤＶＤ１０９やＳＤカード１１１に記録される。表示部１１２は、映像を表示するためのディスプレイ装置である。以下、液晶ディスプレイ（ＬＣＤ）として説明するが、有機ＥＬディスプレイ等であっても良い。ＬＥＤ１１３は、電源が入ったり、充電を行ったり、記録媒体にアクセスする時に点灯し、記録再生装置の動作状況を示す。ＥＶＦ１１４は、映像を表示するためのディスプレイ装置である。なお、図示していないが、バッテリ駆動機能などの、一般的なビデオカメラの機能は全て搭載しているものとする。
【００１７】
ＤＶＤに記録した動画映像情報は、シーン毎に管理情報を持つ。以降は、これをシーン管理情報と呼ぶ。シーン管理情報は、チャプタの位置情報を含め、シーンに関する全ての情報を管理するために使用する。例えば、チャプタに関するシーン管理情報には、チャプタの先頭フレームの位置情報や、チャプタの長さや、チャプタの概要などを記録する。シーンにチャプタを設定するには、前記シーン管理情報にチャプタに関する情報を記録する必要がある。図２に、チャプタに関するシーン管理情報の一例を示す。２０１は、シーン内に設定してあるチャプタのＩＤを示す。２０２は、設定したチャプタがシーン内のどの位置から開始しているかを示す。
【００１８】
チャプタごとに重要度を設定する場合は、例えば図３のようなシーン管理情報を使用する。３０１はチャプタの重要度を表し、本実施例では数字が小さいほどチャプタの重要度が高いとする。また、ユーザがチャプタの重要度を設定しない場合は、最低重要度が設定されるものとする。
【００１９】
任意の画像をチャプタのサムネイル画像として使用するには、例えば、図４のようなシーン管理情報を使用する。４０１はチャプタに設定する静止画画像のパス情報を記録する。４０１が空白の場合は、チャプタの先頭フレームをチャプタのサムネイルとして設定する。ユーザがチャプタのサムネイルを設定しない場合は、チャプタの先頭フレームをサムネイルとして設定する。
【００２０】
記録したシーンに対して、チャプタのサムネイル設定を実行する際は、図５のような画面を表示する。領域５０１では、記録したシーンの再生を行い、領域５０２では、カメラスルーの表示を行う。ユーザは、領域５０１で再生される映像を見ながら、チャプタを作成したい箇所でシャッタボタンを押下する。すると、シャッタボタンを押下した瞬間に領域５０２に表示されていた映像が、作成したばかりのチャプタのサムネイルとして設定される。なお、領域５０１と領域５０２に表示されるものをユーザが設定で交換できるようにし、領域５０１にカメラスルーを、領域５０２にシーン再生画面を表示できるようにすると使い勝手が向上する。なお、ＥＶＦを使用すれば、ＬＣＤの画面全体にシーン再生画面を表示し、カメラスルーをＥＶＦでユーザが確認できるようにすれば、領域５０２を用意する必要は無く、領域５０１のみがあれば良い。
【００２１】
シーン内のチャプタは、ユーザが設定したチャプタ用サムネイルを使って、図６のように一覧表示する。６０１には、チャプタのサムネイルを表示し、６０２には、シーン管理情報に含まれるチャプタ情報を表示する。チャプタ情報とは、例えば、シーン管理情報に記録されているチャプタの先頭フレームの位置情報や、チャプタの長さや、チャプタの概要などである。チャプタの概要は、例えば、ユーザがチャプタの内容を表現するために入力した文字情報である。ユーザは、カーソルを動かして再生したいチャプタを選択し、再生を実行する。なお、ＤＶＤに記録されている動画映像情報のチャプタ一覧画面の呼び出しは、図１のユーザインタフェース１０２を用いて行うものとする。図６ではサムネイルを、縦３枚横２枚の計６枚表示しているが、ユーザがサムネイルを認識できる範囲でサムネイルをスケーリングし、より多くのサムネイルを一覧表示可能にしてももちろん構わない。また、チャプタ情報を非表示にし、より多くのサムネイルを一覧表示可能にしても構わない。
【００２２】
ユーザが記録した動画映像情報の一覧画面は、図７のように表示する。なお、ＤＶＤに記録されている動画映像情報の一覧画面の呼び出しは、図１のユーザインタフェース１０２を用いて行うものとする。図７ではサムネイル７０１を、縦３枚横３枚の計９枚表示しているが、ユーザがサムネイルを認識できる範囲でサムネイルをスケーリングし、より多くのサムネイルを一覧表示可能にしてももちろん構わない。
【００２３】
以下で、記録したシーンにチャプタを設定する方法について説明する。
【００２４】
図８を用いて、ユーザが記録したシーンにチャプタを設定する処理の流れについて説明する。ステップＳ８００では、図７のような動画映像情報一覧画面が表示されているものとする。ステップＳ８０１で、ユーザは前記動画映像情報一覧画面から再生したいシーンを選択し、シーンの再生を実行する。ステップＳ８０２でシーン再生中に、ユーザがチャプタ作成を実行するためのボタン操作を行った場合は、ステップＳ８０３でチャプタを作成し、チャプタの情報を図２のようなシーン管理情報に記録する。なお、Ｓ８０２でのボタン入力は、チャプタ作成専用ボタンを用意して使用しても良いし、既存のボタン、例えば静止画用シャッタボタンを使用しても構わない。最後に、ステップＳ８０４で処理を終了する。
【００２５】
以下で、設定したチャプタに任意画像のサムネイルを設定する方法について説明する。
【００２６】
ユーザはメニュー操作を行い、図６のようなチャプタ一覧画面を表示する。このとき、チャプタにサムネイルが設定されていない場合は、各チャプタの先頭フレームがチャプタのサムネイルとして表示される。ユーザは、サムネイルを設定したいチャプタを選択し、メニューから「サムネイル設定」を実行する。
【００２７】
図９を用いて、チャプタのサムネイル用画像をユーザが撮影し、撮影した静止画をチャプタのサムネイルに設定する処理の流れについて説明する。図９のステップＳ９００は、ユーザがチャプタ一覧画面からメニュー操作を行って「サムネイル設定」を実行した直後の状態であるとする。ステップＳ９０１では、図１０のようにカメラスルーをサムネイル撮影画面として表示し、ユーザはシャッタボタンを押下してサムネイル撮影を行う。サムネイル撮影後は、ステップＳ９０２で、図１１のようなサムネイル設定確認画面を表示し、ユーザが撮影した静止画をサムネイルとして設定して良いかをユーザに確認する。図１１において、１１０１にはユーザがサムネイル用に撮影した静止画を表示し、１１０２では、サムネイルに対応するチャプタを再生する。ステップＳ９０３で、ユーザがサムネイル設定確認画面で「はい」を選択した場合は、ステップＳ９０４で、既にチャプタにサムネイルが設定されているか否かを判定し、設定されていない場合は、ステップＳ９０７でサムネイル画像をＤＶＤに記録し、シーン管理情報を更新する。ステップＳ９０４の判定は、図４のシーン管理情報を用いて行う。４０１が空白でない場合は、既にチャプタにサムネイルが設定されているとし、ステップＳ９０５でサムネイルを変更して良いか否かをユーザに問うダイアログを表示する。その後ステップＳ９０６でユーザが「はい」を選択すれば、ステップＳ９０７に移行する。ステップＳ９０６でユーザが「いいえ」を選択した場合は、サムネイルの変更は行わずにステップＳ９０８で処理を終了する。ステップＳ９０３でユーザが「いいえ」を選択した場合は、再びサムネイル撮影画面を表示し、ユーザがシャッタボタンを押下するまで待機する。「キャンセル」を選択した場合は、ステップＳ９０８で処理を終了する。ステップＳ１２０５でユーザが「いいえ」を選択した場合に、ステップＳ８０３でチャプタの設定を行っておくことで、後でユーザはチャプタの作成をやりなおすことなく、サムネイル用静止画を設定するだけで良い状態にすることができる。なお、ステップＳ１２０５でユーザが「いいえ」を選択した場合に、ステップＳ８０３ではなく、再びサムネイル撮影画面を表示し、ユーザがサムネイル用静止画を撮影しなおせるようにしてももちろん構わない。また、ステップＳ９０５とステップＳ９０６の処理を省略できるようユーザが設定できるようにすると、サムネイルの設定を素早く行いたいユーザにとって使い勝手が向上する。チャプタのサムネイルをユーザが設定可能にすると、常にチャプタの先頭フレームをサムネイルにするのと異なり、チャプタの内容をより良く表す画像をサムネイルとして設定できるため、図６のようなチャプタ一覧画面を表示した際に、シーン全体の内容がユーザにとってわかりやすくなり、使い勝手が向上する。
【００２８】
以下で、チャプタの作成と、チャプタのサムネイル撮影を同時に行う場合について説明する。
【００２９】
図１２を用いて、ユーザがチャプタの設定とサムネイル撮影を同時に行う処理の流れについて説明する。ステップＳ１２００では、図７のような動画映像情報一覧画面が表示されているものとする。ユーザがメニューから「チャプタ・サムネイル作成」を選択することによって、ステップＳ１２０１で、図５のチャプタ作成モード画面を表示し、領域５０１でシーン再生を開始し、領域５０２にカメラスルーを表示する。ユーザは、領域５０１で再生されているシーンを見ながら領域５０２に、チャプタを設定したいタイミングで、シャッタボタンを押下してステップＳ１２０２からステップＳ１２０３に移行する。ステップＳ１２０３では、図１３のようなチャプタ位置確認画面を表示する。１３０１では、ユーザがステップＳ１２０２でボタンを押下した瞬間のフレームから数秒間分の動画再生を行い、１３０２には、チャプタ情報を表示する。ユーザは、ステップＳ１２０３で表示されたチャプタ位置で良ければ、ステップＳ１２０４で「はい」を選択し、ステップＳ９０２に移行する。ユーザが「いいえ」を選択した場合は、ステップＳ１２０１に戻り、再びチャプタ作成モード画面を表示する。ステップＳ９０２の処理については前述の通りである。ステップＳ１２０５では、撮影したサムネイルに満足したユーザは「はい」を選択し、ステップＳ１２０６に移行する。ステップＳ１２０６では、チャプタ位置とサムネイル情報をシーン管理情報に記録し、ステップＳ１２０７で処理を終了する。ステップＳ１２０５でユーザが「いいえ」を選択した場合は、ステップＳ８０３でチャプタ位置のみをシーン管理情報に記録する。ステップＳ１２０４、ステップＳ１２０５において、ユーザが「キャンセル」を選択した場合は、どちらもステップＳ１２０７に移行し、処理を終了する。チャプタ位置設定とチャプタのサムネイル設定を同時に行うことによって、カメラの操作に熟練したユーザは、より素早くチャプタ位置設定とチャプタのサムネイル設定を行うことができ、使い勝手が向上する。なお、ステップＳ１２０１において、メニュー操作でチャプタ作成モード画面を表示する代わりに、チャプタ作成ボタンを押下することで動画映像情報一覧画面から直接チャプタ作成モードに移行できると、さらに使い勝手が向上する。
【００３０】
以下で、ＳＤカード内にあらかじめ用意した静止画を、静止画映像情報一覧表示画面からチャプタのサムネイルに設定する方法について説明する。
【００３１】
図１４は、ユーザが選択した、ＳＤカードに記録されている静止画映像情報１４０１を、どのチャプタのサムネイルとして設定するかを指定する際の設定画面の例である。領域１４０２では、ＤＶＤに記録されている動画映像情報からユーザが選択したシーンのチャプタ一覧がサムネイル表示されている。このとき表示されるサムネイルは、各シーンのシーン管理情報に記録されているものである。領域１４０３には、各チャプタの位置情報などを表示する。なお、図１４の例では、領域１４０２に３枚のサムネイルを表示させているが、ユーザが認識できる範囲でサムネイルのスケーリングを行い、より多くのサムネイルを一度に表示できるようにしても構わない。
【００３２】
図１５を用いて、ＳＤカードに記録された静止画映像情報の一覧表示画面から、ＤＶＤに記録されているシーン内のチャプタのサムネイルを設定する処理の流れについて説明する。ステップＳ１５００の時点で、ビデオカメラが静止画モードで起動されているものとする。ステップＳ１５０１で、ＳＤカードに記録されている静止画映像情報の中から、サムネイルにしたい静止画映像情報を図７のような静止画用映像情報一覧画面から選択し、ステップＳ１５０２でメニューから「サムネイルに設定」を選択する。次にステップＳ１５０３で、選択した静止画映像情報をＤＶＤに記録されているシーン内の、どのチャプタのサムネイルとして使用するかを設定する図１４のような画面を表示する。ユーザはステップＳ１５０４で、ステップＳ１５０１で選択した静止画映像情報をどのチャプタのサムネイルとして使用するかを、図１４のように表示された画面上で選択する。ステップＳ９０４からステップＳ９０７の処理は前述の通りである。この機能によって、チャプタのサムネイル撮影と、チャプタ作成を別々の日に行ったり、パソコンで加工した画像をサムネイルとして使用したりすることができる。そのため、ユーザは、チャプタ作成をまとめて実行した後で、サムネイル撮影をまとめて行うことができ、使い勝手が向上する。
【００３３】
以下で、ＳＤカード内にあらかじめ用意した静止画を、チャプタ一覧画面からチャプタのサムネイルに設定する方法について説明する。
【００３４】
図１６は、ユーザが選択したチャプタ１６０１のサムネイルとして、どの静止画映像情報を設定するかを指定する際の設定画面の例である。領域１６０１では、ユーザが選択したチャプタを再生する。領域１６０２には、ＳＤカードに記録されている静止画映像情報の一覧をサムネイル表示する。領域１６０３には、各静止画映像情報が記録された日時などの情報を表示する。なお、図１６の例では、サムネイル１６０３を３枚表示させているが、ユーザが認識できる範囲でサムネイルのスケーリングを行い、より多くのサムネイルを一度に表示できるようにしても構わない。
【００３５】
図１７を用いて、チャプタ一覧画面から、ＳＤカードに記録されている静止画映像情報をサムネイルに設定する処理の流れについて説明する。ステップＳ１７００の時点で、図６のようなチャプタ一覧画面が表示されているものとする。ステップＳ１７０１で、ユーザはサムネイルの設定をしたいチャプタをチャプタ一覧画面から選択し、ステップＳ１７０２でメニューから「サムネイルを変更」を選択する。次のステップＳ９０４からステップＳ９０６の処理は前述の通りである。ステップＳ１７０３では、ステップＳ１７０１で選択したチャプタのサムネイルをＳＤカードに記録されているどの静止画映像情報にするかを設定する画面(図１６)を表示する。ユーザはステップＳ１７０４で、サムネイルに設定する静止画を選択する。ステップＳ９０７の処理は前述の通りである。この機能によって、チャプタのサムネイル撮影と、チャプタ作成を別々の日に行ったり、パソコンで加工した画像をサムネイルとして使用したりすることができる。そのため、ユーザは、チャプタ作成をまとめて実行した後で、サムネイル撮影をまとめて行うことができ、使い勝手が向上する。
【００３６】
以上で説明したチャプタ作成方法とサムネイル設定方法によって、ユーザはビデオカメラがどのようなモードで起動していても、簡単にチャプタのサムネイルの設定を行うことができる。また、チャプタの内容を良く表す画像をサムネイルに設定できるため、シーンの内容がひと目でわかりやすくなり、使い勝手が向上する。
【００３７】
以下で、チャプタごとに重要度を設定し、ユーザが容易に目的のチャプタの頭だしを行うための処理について説明する。
【００３８】
図１８は、例えば図８のステップＳ８０２の処理とステップＳ８０３の処理の間に表示し、作成したチャプタの重要度を決定するための重要度決定画面の例である。１８０１では、作成したチャプタを再生し、１８０２には重要度を表示してユーザに選択を促す。本実施例では、チャプタの重要度は５段階設定可能とする。重要度１が最も重要度が高く、重要度５が最も重要度が低いとする。以降は、便宜上重要度１を特急、重要度３を急行、重要度５を鈍行と呼んで区別する。
【００３９】
図１９を用いて、重要度を使った再生方法について説明する。図１９は、チャプタ００１からチャプタ００９までの合計９個のチャプタに分かれたシーンがあり、ユーザがチャプタ００２とチャプタ００５に重要度１を設定し、チャプタ００４とチャプタ００９に重要度３を設定し、残りのチャプタに重要度５を設定していることを示す概念図である。まず、ユーザがシーン先頭から再生を開始すると、重要度５のチャプタ００１が再生される。チャプタ００１再生中に、ユーザが「特急スキップ」を実行すると、チャプタ００２が再生開始する。チャプタ００２再生中に、「急行スキップ」を実行すると、チャプタ００３がスキップされ、チャプタ００４が再生開始する。チャプタ００４再生中にユーザが「鈍行スキップ」を実行すると、チャプタ００５が再生開始する。そのまま再生を続け、チャプタ００７の再生が開始したところで再び「特急スキップ」を実行すると、チャプタ００８とチャプタ００９がスキップされ、シーンの再生が終了する。つまり、重要度１が設定されたチャプタはどのスキップ方法を使って頭出しを実行しても必ず再生され、その他は、チャプタに設定された重要度と同じか、それよりも重要度の低いスキップ方法を実行した場合にしか再生されない。この機能は、大まかな内容の確認を特急スキップを使って行い、ユーザ所望の映像に近づいたらより重要度の低い鈍行スキップなどを使用してユーザが効率良くシーンの内容を確認することができるため便利である。なお、重要度の設定は、図１８の画面を使って行っても良いし、重要度設定用アルゴリズムを使用して自動設定しても構わない。
【００４０】
以下で、作成したチャプタに任意の音声を関連付け、ユーザがチャプタの頭出しを行った場合にのみ前記音声を再生する処理について説明する。
【００４１】
チャプタに音声を関連付けるためには、図１５の処理でサムネイル画像を選択する代わりに、音声データを選択して実現すれば良い。なお、チャプタの頭出しが実行された場合にしか前記音声が再生されないようにして、シーン再生中に、前記関連付けした音声が勝手に再生されて邪魔にならないようにする。図２０は、チャプタに関連付けした音声データを、どのタイミングで再生するかを示すフロー図である。ステップＳ２００１でシーン再生中に、スキップを実行してチャプタの頭出しを行うと、ステップＳ２００２の判定がＹｅｓとなり、ステップＳ２００３で次のチャプタの再生を開始すると同時に、関連付けした音声を再生する。ステップＳ２００２でスキップの実行が無ければ、そのままシーンの再生を続ける。
【００４２】
図２１を用いて、ユーザが音声データを入力し、入力した音声データをチャプタに関連付ける処理の説明を行う。ステップＳ２１００の時点で、図６のようなチャプタ一覧画面が表示されているものとする。ステップＳ２１０１で、ユーザは音声を設定したいチャプタを選択し、ステップＳ２１０２でメニューから「音声作成」を選択する。ステップＳ２１０３では音声入力画面を表示し、ユーザは音声を入力する。このとき、ビデオカメラに内蔵されたマイクを使用しても良いし、外部マイクを装着して使用しても構わない。ユーザによる音声入力完了後、ステップＳ２１０４で、入力した前記音声をチャプタに関連付けるか否かをユーザに問う音声確認画面を表示する。音声確認画面には、例えば図１３のようにチャプタの内容を表示し、「はい」「いいえ」「キャンセル」の３つのボタンを用意する。このとき、確認画面表示と同時に、前記音声も再生すると使い勝手が向上する。ユーザは、ステップＳ２１０５で、前記音声をチャプタに関連付ける場合は「はい」を選択し、ステップＳ２１０６に移行する。ステップＳ２１０６では、前記音声をＤＶＤに記録し、ステップＳ２１０７でチャプタの音声関連付け用シーン管理情報を更新して、処理を終了する。ステップＳ２１０５において、ユーザがもう一度音声を入力しなおす場合は、「いいえ」を選択し、再びステップＳ２１０３に移行する。チャプタへの音声関連付け処理を中止する場合は、ステップＳ２１０５にて「キャンセル」を選択し、処理を終了する。なお、ステップＳ２１０３でユーザが音声を入力する代わりに、ＳＤカードやＤＶＤにあらかじめ記録しておいた音声データを関連付けしても構わない。この機能を使えば、チャプタに関連付ける音声ファイルを、チャプタの簡単な内容を説明する音声にしておくことで、チャプタの頭出しをしながらシーンの内容を理解しようとしているユーザにとって、チャプタの内容を把握する助けとなる。
【００４３】
以下で、チャプタのサムネイルとして設定した静止画映像情報から、文字情報を抽出し、抽出した前記文字情報を、対応するチャプタのメタデータとして設定する処理について説明する。
【００４４】
図９や図１２や図１５や図１７の処理でチャプタにサムネイルを設定する際に、設定したサムネイル画像から文字情報を抽出し、それをシーン管理情報にメタデータとして記録する。シーン管理情報に記録したメタデータは、例えば、図６のようなチャプタ一覧画面の６０２のチャプタ情報表示領域に表示する。記録した前記メタデータは、ユーザが再生したいシーンやチャプタを見つけるためにキーワード検索を行う際に利用できる。チャプタのメタデータにキーワードを設定するためには、ユーザはサムネイルを設定するだけで良く、キーワード入力を手動で行う必要が無いため、使い勝手が良い。例えば、子供の学芸会で数学年分の演劇を撮影した場合、各演劇をチャプタで分割し、各チャプタのサムネイルとして演劇のタイトルが含まれている静止画を設定しておけば、前記静止画から演劇のタイトルの文字列が抽出され、各チャプタのメタデータに記録される。ユーザは後日演劇タイトルでキーワード検索すれば、所望の演劇の映像を容易に見つけ出すことができる。
【００４５】
以下で、シーン内に作成したチャプタのサムネイルをスライドショー表示する処理について説明する。
【００４６】
図９や図１２や図１５や図１７の処理でシーン内のチャプタに設定した複数のサムネイル画像を、図７のような動画映像情報一覧画面の領域７０１で、スライドショー表示する。スライドショー表示は、シーン管理情報のサムネイル画像記録部分を参照し、先頭チャプタのサムネイル画像から順に表示することで実現する。シーン管理情報のサムネイル画像記録部分とは、例えば図４の４０１を示す。このとき、スライドショー表示するか否かの設定や、各サムネイル画像を表示する秒数の設定をユーザがメニューから変更できると使い勝手が向上する。チャプタのサムネイルをスライドショー表示することで、動画映像情報一覧画面を表示するだけでシーンの主要な場面がわかるため、シーン内容の把握が容易にできる。
【００４７】
以下で、ユーザが誤ったサムネイルをチャプタに設定した場合に、サムネイルを設定前の状態に復元する処理について説明する。
【００４８】
図９や図１２や図１５や図１７の処理をユーザが誤って実行し、誤ったサムネイルを設定した場合の復元方法を図２２と図２３を用いて説明する。図２２は、サムネイル復元に使用するシーン管理情報の一例である。２２０１は、チャプタのＩＤを示し、２２０２は、現在チャプタに設定されているサムネイル画像のパスを記録する。２２０３には、前記サムネイル画像が設定される前に、チャプタに設定されていたサムネイル画像のパスを記録する。２２０２や２２０３が空の場合は、チャプタの先頭フレームがサムネイルに設定されていることを示す。図２３は、ユーザがサムネイルの復元を実行する際の処理フローを示す。ステップＳ２３００の時点で、図６のチャプタ一覧画面が表示されていることとする。ステップＳ２３０１で、ユーザがサムネイルの復元を実行したいチャプタを選択し、メニューから「サムネイル復元」を実行すると、ステップＳ２３０３でシーン管理情報の更新が実行される。ステップＳ２３０３では、図２２のようなシーン管理情報の、２２０３に記録されている前回のサムネイル画像のパスを２２０２にコピーし、２２０３を空にする。なお、サムネイル復元用のシーン管理情報に、サムネイルの変更履歴をより多く記録すれば、復元回数を増加させることができる。この機能により、ユーザが誤ってサムネイルを設定しても、サムネイルを再設定する手間をかけることなく、簡単に設定前の状態に戻すことができる。
【００４９】
以上、説明した例により、ユーザが効率よく目的の映像を探し出すための機能が実現できる。
【００５０】
なお、本実施例では、ビデオカメラを例に本発明の実施形態にかかる装置について説明したが、そのほかにも、例えばＤＶＤレコーダにカメラを外部接続した装置も本発明の実施形態の１つである。
【図面の簡単な説明】
【００５１】
【図１】記録再生装置の構成例を示すブロック図
【図２】チャプタの位置情報に関するシーン管理情報の一例を示す図
【図３】チャプタの重要度情報に関するシーン管理情報の一例を示す図
【図４】チャプタのサムネイル情報に関するシーン管理情報の一例を示す図
【図５】チャプタ作成モード画面の一例を示す図
【図６】チャプタ一覧画面の一例を示す図
【図７】ＤＶＤに記録した動画映像情報一覧画面の一例を示す図
【図８】チャプタ作成を行う処理フロー例を示す図
【図９】チャプタにサムネイルを設定する処理フロー例を示す図
【図１０】サムネイル用静止画撮影画面の一例を示す図
【図１１】サムネイル用静止画確認画面の一例を示す図
【図１２】チャプタ作成とチャプタのサムネイル撮影・設定を同時に行う処理フロー例を示す図
【図１３】チャプタ位置確認画面の一例を示す図
【図１４】静止画一覧画面からチャプタにサムネイルを設定する画面の一例を示す図
【図１５】静止画一覧画面からチャプタにＳＤカード内の画像をサムネイルとして設定する処理フロー例を示す図
【図１６】チャプタ一覧画面からチャプタにサムネイルを設定する画面の一例を示す図
【図１７】チャプタ一覧画面からチャプタにＳＤカード内の画像をサムネイルとして設定する処理フロー例を示す図
【図１８】チャプタの重要度設定画面の一例を示す図
【図１９】チャプタの重要度設定の一例を示す図
【図２０】チャプタに関連付けた音声を再生する処理フロー例を示す図
【図２１】入力した音声をチャプタに関連付ける処理フロー例を示す図
【図２２】チャプタのサムネイル復元に使用するシーン管理情報の一例を示す図
【図２３】チャプタのサムネイル復元を行う処理フロー例を示す図
【符号の説明】
【００５２】
１０１…システム制御部、１０２…ユーザインタフェース、１０３…レンズ、１０４…ＣＣＤ、１０５…Ａ／Ｄ変換器、１０６…ＣＯＤＥＣ、１０７…ＲＡＭ、１０８…ドライブ制御部、１０９…ＤＶＤ、１１０…カード制御部、１１１…ＳＤカード、１１２…表示部、１１３…ＬＥＤ、２０１…チャプタのＩＤ、２０２…チャプタの先頭フレームの位置、３０１…映像情報一覧画面、３０１…チャプタの優先度、４０１…チャプタのサムネイル画像のパス名、５０１…シーン再生を行う領域、５０２…カメラスルーを表示する領域、６０１…チャプタのサムネイルを表示する領域、６０２…チャプタの情報を表示する領域、７０１…シーンのサムネイルを表示する領域、Ｓ８０１〜Ｓ８０４…図８の処理フロー内容、Ｓ９０１〜Ｓ９０８…図９の処理フロー内容、１１０１…チャプタに設定するサムネイルを表示する領域、１１０２…チャプタを再生する領域、Ｓ１２００〜Ｓ１２０７…図１２の処理フロー内容、１３０１…チャプタを再生する領域、１３０２…チャプタの情報を表示する領域、１４０１…チャプタに設定するサムネイルを表示する領域、１４０２…チャプタを再生する領域、１４０３…チャプタの情報を表示する領域、Ｓ１５００〜Ｓ１５０５…図１５の処理フロー内容、１６０１…チャプタを再生する領域、１６０２…静止画を表示する領域、１６０３…静止画の情報を表示する領域、Ｓ１７００〜Ｓ１７０５…図１７の処理フロー内容、１８０１…チャプタを再生する領域、１８０２…チャプタの重要度設定用ボタン、Ｓ２０００〜Ｓ２００４…図２０の処理フロー内容、Ｓ２１００〜Ｓ２１０８…図２１の処理フロー内容、２２０１…チャプタのＩＤ、２２０２…現在設定されているサムネイル画像のパス名、２２０３…前回設定されていたサムネイル画像のパス名、Ｓ２３００〜Ｓ２３０３…図２３の処理フロー内容
【図１】
2009267457.tif 000003
【図２】
2009267457.tif 000004
【図３】
2009267457.tif 000005
【図４】
2009267457.tif 000006
【図５】
2009267457.tif 000007
【図６】
2009267457.tif 000008
【図７】
2009267457.tif 000009
【図８】
2009267457.tif 000010
【図９】
2009267457.tif 000011
【図１０】
2009267457.tif 000012
【図１１】
2009267457.tif 000013
【図１２】
2009267457.tif 000014
【図１３】
2009267457.tif 000015
【図１４】
2009267457.tif 000016
【図１５】
2009267457.tif 000017
【図１６】
2009267457.tif 000018
【図１７】
2009267457.tif 000019
【図１８】
2009267457.tif 000020
【図１９】
2009267457.tif 000021
【図２０】
2009267457.tif 000022
【図２１】
2009267457.tif 000023
【図２２】
2009267457.tif 000024
【図２３】
2009267457.tif 000025